(57)【要約】【課題】探索対象物であることを操作者が容易に特定できるようにする。【解決手段】無線タグ読み取り装置１は、制御回路２０３で探索対象ファイルＦに貼られた無線タグ回路素子ＴoのＩＣ回路部１５０の無線タグ情報にアクセスするアクセス情報を生成し、この生成したアクセス情報を、無線通信により高周波回路送信部２１２及びアンテナ１０を介し無線タグ回路素子Ｔoのアンテナ１５１に送信し無線タグ情報へのアクセスを行い、このアクセス情報の送信後、この送信されたアクセス情報に応じてＩＣ回路部１５０より送信された返答信号を、アンテナ１０及び受信部２１３を介して無線通信により受信し、この受信した返答信号の変化に基づき、制御回路２０３が音声報知手段７へ探索対象ファイルＦに係わる無線タグ回路素子Ｔoであるかどうかの報知信号を出力する。【選択図】  図４
2006127250.tif 000002
【特許請求の範囲】
【請求項１】
探索対象物に関連づけて取り扱われる無線タグ回路素子のＩＣ回路部の無線タグ情報にアクセスするアクセス情報を生成するアクセス情報生成手段と、
このアクセス情報生成手段で生成した前記アクセス情報を、無線通信により前記無線タグ回路素子のタグ側アンテナに送信し、前記ＩＣ回路部の前記無線タグ情報へのアクセスを行う送信手段と、
この送信手段によるアクセス情報の送信後、この送信されたアクセス情報に応じて前記ＩＣ回路部より送信された返答信号を、前記タグ側アンテナを介して無線通信により受信する受信手段と、
この受信手段で受信した前記返答信号の変化に基づき、前記探索対象物に係わる無線タグ回路素子であるかどうかを判定する判定手段と、
この判定手段の判定結果に基づき報知信号を出力する報知信号出力手段とを有することを特徴とする無線タグ読み取り装置。
【請求項２】
請求項１記載の無線タグ読み取り装置において、
前記受信手段で受信した前記返答信号の信号強度を検出する強度検出手段を有し、
前記報知信号出力手段は、前記強度検出手段で検出した信号強度の変化に応じて、前記報知信号を出力することを特徴とする無線タグ読み取り装置。
【請求項３】
請求項１又は２記載の無線タグ読み取り装置において、
前記受信手段で受信した前記返答信号に応じて、前記探索対象物に係わる無線タグ回路素子の存在位置を概略的に推定する第１モードと、この第１モードによる前記概略的な推定を行った後に前記探索対象物に関わる無線タグ回路素子の存在位置をより詳細に推定する第２モードとを切り換える切り換え手段を有することを特徴とする無線タグ読み取り装置。
【請求項４】
請求項３記載の無線タグ読み取り装置において、
前記判定手段は、前記切り換え手段にて前記第２モードに切り換えられる前後の前記返答信号の変化に基づき、前記探索対象物に係わる無線タグ回路素子であるかどうかの判定を行うことを特徴とする無線タグ読み取り装置。
【請求項５】
請求項３記載の無線タグ読み取り装置において、
前記判定手段は、前記切り換え手段にて前記第２モードに切り換えられる前の前記返答信号に対する、切り換えられた後の前記返答信号の変化に基づき、前記探索対象物に係わる無線タグ回路素子であるかどうかの判定を行うことを特徴とする無線タグ読み取り装置。
【請求項６】
請求項１乃至５のいずれか１項記載の無線タグ読み取り装置において、
前記探索対象物に関わる無線タグ回路素子からの前記返答信号の電磁波伝搬を阻害可能なうなうそしにおいていてチが終了した後電磁波シールド部材又は電磁波吸収部材を有することを特徴とする無線タグ読み取り装置。
【請求項７】
請求項６記載の無線タグ読み取り装置において、
前記受信手段は、受信用アンテナ手段を備え、
前記電磁波シールド部材又は前記電磁波吸収部材は、前記探索対象物に関わる無線タグ回路素子と前記受信用アンテナ手段との間に位置するように、配置されていることを特徴とする無線タグ読み取り装置。
【請求項８】
所定の情報を記憶するＩＣ回路部及びこのＩＣ回路部に接続され情報の送受信を行うアンテナを有する無線タグ回路素子と、
前記無線タグ回路素子の設置方向を変化可能に、当該無線タグ回路素子を取り付け対象の前記探索対象物に接続する接続部材とを有することを特徴とする無線タグ。
【請求項９】
請求項８記載の無線タグにおいて、
前記接続部材は、前記無線タグ回路素子の設置方向を当初の設置面と略直角方向に変化できるよう、前記無線タグ回路素子を前記探索対象物に接続することを特徴とする無線タグ。
【請求項１０】
請求項８記載の無線タグにおいて、
前記接続部材は、前記無線タグ回路素子の設置方向を当初の設置面を含む平面内で回転可能となるよう、前記無線タグ回路素子を前記探索対象物に接続することを特徴とする無線タグ。
【請求項１１】
請求項１０記載の無線タグにおいて、
前記接続部材は、前記当初の設置面を含む平面内での回転角度が６０度以上１２０度以下となるように、前記無線タグ回路素子を前記探索対象物に接続することを特徴とする無線タグ。
【請求項１２】
所定の情報を記憶するＩＣ回路部及びこのＩＣ回路部に接続され情報の送受信を行うアンテナを有する無線タグ回路素子と、
前記無線タグ回路素子の前記アンテナを介した通信機能を、無効化又は低減可能なタグ機能無効化又は低減手段とを有することを特徴とする無線タグ。
【発明の詳細な説明】
【技術分野】
【０００１】
本発明は、無線通信により外部と情報の授受が可能な無線タグに備えられた無線タグ回路素子に対して、外部より情報の読み取りを行う無線タグ読み取り装置及び無線タグに関する。
【背景技術】
【０００２】
小型の無線タグとリーダ（読み取り装置）／ライタ（書き込み装置）との間で非接触で情報の読み取り／書き込みを行うＲＦＩＤ（Radio  Frequency  Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
従来、上記のような無線タグを利用した物品の検索に係わる技術として、探索対象物(図書)に添付された無線タグを探索するものがある（例えば、特許文献１参照）。
【０００４】
【特許文献１】特開２００４−５９３２０号公報（段落番号００１８〜００７０、図２等）
【発明の開示】
【発明が解決しようとする課題】
【０００５】
上記従来技術では、上記検索時に、遮蔽板を用いて図書棚（書架）に複数の図書を含む区分を作成し、無線タグ読み取り装置を当該区分に挿入することで、探索したい図書の存在する区分を検知するようにしている。
【０００６】
しかしながら、この手法では当該区分に探索対象の図書が存在することが判明するにすぎず、操作者はそれ以上の詳細な位置情報を得ることはできない。このため、その区分の中のどれが探索対象物があるかは当該区分の図書を１つ１つチェックする（背表紙や表紙等の文字情報を確認する）しなければならず、手間がかかる。特に、操作者が当該文字情報を理解困難な場合は、これ以上の探索は不可能である。さらに、背表紙や表紙等の表面に現れていない情報（例えばファイリングされた書類の内容）を探索する場合は、当該区分のファイルを１つ１つ取り出した上でその中身をチェックしなければ探索対象物（ファイル）を特定することができない。
【０００７】
本発明の目的は、探索対象物であることを操作者が容易に特定できる無線タグ読み取り装置及び無線タグを提供することにある。
【課題を解決するための手段】
【０００８】
上記目的を達成するために、第１の発明は、探索対象物に関連づけて取り扱われる無線タグ回路素子のＩＣ回路部の無線タグ情報にアクセスするアクセス情報を生成するアクセス情報生成手段と、このアクセス情報生成手段で生成した前記アクセス情報を、無線通信により前記無線タグ回路素子のタグ側アンテナに送信し、前記ＩＣ回路部の前記無線タグ情報へのアクセスを行う送信手段と、この送信手段によるアクセス情報の送信後、この送信されたアクセス情報に応じて前記ＩＣ回路部より送信された返答信号を、前記タグ側アンテナを介して無線通信により受信する受信手段と、この受信手段で受信した前記返答信号の変化に基づき、前記探索対象物に係わる無線タグ回路素子であるかどうかを判定する判定手段と、この判定手段の判定結果に基づき報知信号を出力する報知信号出力手段とを有することを特徴とする。
【０００９】
アクセス情報生成手段で生成されたアクセス情報が、送信手段で探索対象物に関わる無線タグ回路素子のタグ側アンテナに送信され、ＩＣ回路部の無線タグ情報へのアクセスが行われた後、このアクセス情報に応じてＩＣ回路部より送信された返答信号が受信手段で受信される。このとき、本願第１発明においては、この受信した返答信号の変化に応じて、判定手段が探索対象の無線タグ回路素子であるかどうかの判定を行い、その判定結果に基づいて報知信号を出力する。
【００１０】
探索対象物を探索する際には、探索対象物の可能性のある物に関わる無線タグ回路素子に対し、手動にて受信信号が変化しうるような所定の操作（タグの回転、移動、受信信号の遮蔽等）を行えばよい。これにより、探索対象物に関わる無線タグ回路素子でなかった場合にはそのような所定の操作をしても受信信号に変化がないのに対し、探索対象物に関わる無線タグ回路素子であった場合には上記所定の操作によって受信信号に大きな変化が生じるため、これによって当該探索対象物であると判定して報知信号を出力することができる。このように、探索対象物の可能性のある物を収納箇所から取り出していちいち視認確認しなくても、探索対象物の可能性のある物に関わる無線タグ回路素子に所定の操作を行うだけで、操作者が探索対象物を容易に見つけ出すことができる。
【００１１】
第２の発明は、上記第１発明において、前記受信手段で受信した前記返答信号の信号強度を検出する強度検出手段を有し、前記判定手段は、前記強度検出手段で検出した信号強度の変化に応じて、前記探索対象物であるかどうかの判定を行い、その結果に基づいて前記報知信号出力手段から前記報知信号を出力することを特徴とする。
【００１２】
探索対象物に関わる無線タグ回路素子でなかった場合には返答信号がないので、所定の操作をしても受信信号強度に変化がなく、探索対象物に関わる無線タグ回路素子であった場合には所定の操作によって受信信号強度に大きな変化が生じるため、これによって当該探索対象物であると判定し、報知信号を出力することができる。
【００１３】
第３の発明は、上記第１又は第２発明において、前記受信手段で受信した前記返答信号に応じて、前記探索対象物に係わる無線タグ回路素子の存在位置を概略的に推定する第１モードと、この第１モードによる前記概略的な推定を行った後に前記探索対象物に関わる無線タグ回路素子の存在位置をより詳細に推定する第２モードとを切り換える切り換え手段を有することを特徴とする。
【００１４】
切り換え手段で第１モードと第２モードとを切り換え可能であることにより、最初に第１モードで探索対象物が通信範囲に存在することを確認した後、第２モードに切り換えて探索対象物を個別に見つけ出し、能率のよい探索が可能となる。
【００１５】
第４の発明は、上記第３発明において、前記判定手段は、前記切り換え手段にて前記第２モードに切り換えられる前後の前記返答信号の変化に基づき、前記探索対象物に係わる無線タグ回路素子であるかどうかの判定を行うことを特徴とする。
【００１６】
第１モードで大まかな探索が終了し第２モードに切り換えて詳細な位置の推定を行うとき、その第２モード切り換え前後における所定操作時の返答信号変化に基づいて判定を行うことができる。
【００１７】
第５の発明は、上記第３発明において、前記判定手段は、前記切り換え手段にて前記第２モードに切り換えられる前の前記返答信号に対する、切り換えられた後の前記返答信号の変化に基づき、前記探索対象物に係わる無線タグ回路素子であるかどうかの判定を行うことを特徴とする。
【００１８】
第１モードで大まかな探索が終了した後、第２モードに切り換えて詳細な位置の推定を行い、所定操作を行い、そのときの返答信号変化に基づき判定を行うことができる。
【００１９】
第６の発明は、上記第１乃至第５発明のいずれか１つにおいて、前記探索対象物に関わる無線タグ回路素子からの前記返答信号の電磁波伝搬を阻害可能なうなうそしにおいていてチが終了した後電磁波シールド部材又は電磁波吸収部材を有することを特徴とする。
【００２０】
これにより、探索対象物を探索する際には、探索対象物の可能性のある物に関わる無線タグ回路素子の前で、装置に取り付けられた電磁波シールド部材又は電磁波吸収部材で返答信号の電磁波伝搬を阻害するような操作を行えばよい。この結果、探索対象物に関わる無線タグ回路素子であった場合には上記所定の操作によって受信信号に大きな変化が生じ、これによって当該探索対象物であると判定することができる。
【００２１】
第７の発明は、上記第６発明において、前記受信手段は、受信用アンテナ手段を備え、前記電磁波シールド部材又は前記電磁波吸収部材は、前記探索対象物に関わる無線タグ回路素子と前記受信用アンテナ手段との間に位置するように、配置されていることを特徴とする。
【００２２】
これにより、探索対象物を探索する際には、探索対象物の可能性のある物に関わる無線タグ回路素子の前と受信用アンテナ手段との間に電磁波シールド部材又は電磁波吸収部材を位置させ、返答信号の電磁波伝搬を阻害するようにすれば、探索対象物に関わる無線タグ回路素子であった場合には上記所定の操作によって受信信号に大きな変化が生じ、これによって当該探索対象物であると判定することができる。
【００２３】
上記目的を達成するために、第８の発明は、所定の情報を記憶するＩＣ回路部及びこのＩＣ回路部に接続され情報の送受信を行うアンテナを有する無線タグ回路素子と、前記無線タグ回路素子の設置方向を変化可能に、当該無線タグ回路素子を取り付け対象の前記探索対象物に接続する接続部材とを有することを特徴とする。
【００２４】
これにより、探索対象物を探索する際には、無線タグ回路素子へアクセス情報を送信するとともにその返答信号を受信する無線タグ読み取り装置を作動させつつ、探索対象物の可能性のある物に取り付けられた無線タグに対し、手動にて接続部材に所定の操作（タグの回転、移動）を行い、無線タグ回路素子の設置方向を変化させればよい。これにより、探索対象物に関わる無線タグでなかった場合にはそのような所定の操作をしても装置側の受信信号に変化がないのに対し、探索対象物に関わる無線タグであった場合には上記所定の操作によって受信信号に大きな変化が生じるため、これによって当該探索対象物であると判定することができる。この結果、探索対象物の可能性のある物を収納箇所から取り出していちいち視認確認しなくても、探索対象物の可能性のある物に関わる無線タグに所定の操作を行うだけで、操作者は容易に探索対象物を見つけ出すことができる。
【００２５】
第９の発明は、上記第８発明において、前記接続部材は、前記無線タグ回路素子の設置方向を当初の設置面と略直角方向に変化できるよう、前記無線タグ回路素子を前記探索対象物に接続することを特徴とする。
【００２６】
無線タグ回路素子の設置方向を略直角に変えることにより、装置側のアンテナの偏波方向と無線タグ回路素子の偏波方向とが略直交するようになり、無線タグ回路素子が反応しなくなるか、若しくは装置側での受信信号強度が低下する。この結果、当該探索対象物であると判定することができる。
【００２７】
第１０の発明は、上記第８発明において、前記接続部材は、前記無線タグ回路素子の設置方向を当初の設置面を含む平面内で回転可能となるよう、前記無線タグ回路素子を前記探索対象物に接続することを特徴とする。
【００２８】
無線タグ回路素子の設置方向を当初設置面内で回転させ、当初設置位置から所定の角度だけ回転させることで、装置側のアンテナの偏波方向と無線タグ回路素子の偏波方向とが角度をもつようになり、装置側での受信信号強度が低下する。この結果、当該探索対象物であると判定することができる。
【００２９】
第１１の発明は、上記第１０発明において、前記接続部材は、前記当初の設置面を含む平面内での回転角度が６０度以上１２０度以下となるように、前記無線タグ回路素子を前記探索対象物に接続することを特徴とする。
【００３０】
これにより、無線タグ回路素子の設置方向を当初設置面内で回転させる際、例えば最初の設置状態を偏波面が一致して感度が最大となるような角度にしておき、これを６０度以上１２０度以下の範囲で回転させれば、偏波面が直交状態に近くなるため受信信号強度を２分の１以下にすることができる。この結果、確実に当該探索対象物であると判定することができる。
【００３１】
上記目的を達成するために、第１２の発明は、所定の情報を記憶するＩＣ回路部及びこのＩＣ回路部に接続され情報の送受信を行うアンテナを有する無線タグ回路素子と、前記無線タグ回路素子の前記アンテナを介した通信機能を、無効化又は低減可能なタグ機能無効化又は低減手段とを有することを特徴とする。
【００３２】
これにより、探索対象物を探索する際には、無線タグ回路素子へアクセス情報を送信するとともにその返答信号を受信する無線タグ読み取り装置を作動させつつ、探索対象物の可能性のある物に取り付けられた無線タグのタグ機能無効化又は低減手段を操作し、無線タグ回路素子の通信機能を無効化又は低減すればよい。これにより、探索対象物に関わる無線タグでなかった場合にはそのような所定の操作をしても装置側の受信信号に変化がないのに対し、探索対象物に関わる無線タグであった場合には上記操作によって受信信号に大きな変化が生じる（あるいは信号がなくなる）ため、これによって当該探索対象物であると判定することができる。この結果、探索対象物の可能性のある物を収納箇所から取り出していちいち視認確認しなくても、探索対象物の可能性のある物に関わる無線タグに所定の操作を行うだけで、操作者は容易に探索対象物を見つけ出すことができる。
【発明の効果】
【００３３】
本発明によれば、受信信号の変化に応じた判定結果を報知されることで、探索対象物であることを操作者が容易に特定することができる。
【発明を実施するための最良の形態】
【００３４】
以下、本発明の一実施形態を図面を参照しつつ説明する。
【００３５】
図１は、本実施形態の無線タグ読み取り装置の全体概略構造を表す図であり、図１（ａ）は上面図、図１（ｂ）は図１（ａ）中Ｉ方向からみた矢視図である。
【００３６】
図１において、この無線タグ読み取り装置１（質問器）は、本体ユニット２と、この本体ユニット２に回転可能に取り付けられるアンテナユニット３とを有している。アンテナユニット３は、図１（ａ）及び図１（ｂ）中に想像線で示すように、操作者の手動操作にて９０°回転可能となっている。
【００３７】
本体ユニット２は、筐体４と、この筐体４の上部（図１（ａ）中手前側）の大部分を占めるように配設された表示部５と、筐体４のうち表示部５の側方（図１（ａ）中左側）に配設された操作部６及び音声報知手段７（例えばブザー、アラーム、チャイムスピーカ等）とを備えている。
【００３８】
操作部６は、操作入力手段として適宜のキー、ボタン、スイッチ、パッド等を備えており、表示や探索等に係わる種々の操作入力が行えるようになっている。特にこの例では、探索対象の存在位置を概略的に推定するためのタグ識別モード（第１モード）と、このタグ識別モードによる上記概略的な推定を行った後に探索対象の存在位置をより詳細に推定するためのタグ特定モード（第２モード）とを切り換えるスイッチ又はボタン等からなるモード切り換え手段６Ａ（切り換え手段；後述の図４参照）を備えている。
【００３９】
なお、表示部５を公知のタッチパネルとし、操作部６の機能の一部又は全部をこのタッチパネルにて行えるようにしてもよい。
【００４０】
図２は、上記アンテナユニット３の構造を表す図であり、図２（ａ）は上面図、図２（ｂ）は図２（ａ）中II方向からみた矢視図である。
【００４１】
これら図２（ａ）及び図２（ｂ）において、アンテナユニット３は、ユニット基部９と、この基部９内に設けられ、無線タグＴ（詳細は後述）への信号を送信及び受信するアンテナ１０（装置側アンテナ）とを備えている。
【００４２】
基部９は、係止具１４を備えており、これら係止具１４が本体ユニット２下面の係合部（図示せず）と係合することにより、上記本体ユニット２に対し着脱可能かつ回転可能となっている。図１（ａ）及び図１（ｂ）中に実線で示す配置では、アンテナで送受される電波の偏波方向は水平方向であり、図１（ａ）及び図１（ｂ）中に想像線で示すようにアンテナユニット３を９０度回転させると、アンテナで送受される電波の偏波方向は垂直となる。これは探索するタグのアンテナ方向に応じて適宜操作者がアンテナ方向を設定すればよい。
【００４３】
図３は、上記無線タグ読み取り装置１の検索（探索）対象である物品に添付された無線タグＴに備えられた無線タグ回路素子Ｔoの機能的構成の一例を表すブロック図である。
【００４４】
図３において、無線タグ回路素子Ｔoは、無線タグ読み取り装置１側のアンテナ１０とＵＨＦ帯等の高周波を用いて非接触で信号の送受信を行うアンテナ１５１(タグ側アンテナ)と、このアンテナ１５１に接続されたＩＣ回路部１５０とを有している。
【００４５】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００４６】
変復調部１５６は、アンテナ１５１により受信された上記無線タグ読み取り装置１の送信アンテナ１０からの通信信号の復調を行うと共に、上記制御部１５７からの返信信号に基づき、送信アンテナ１０より受信された搬送波を変調反射する。
【００４７】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００４８】
図４は、上記本体ユニット２及びアンテナユニット３の制御系の構成を表す機能ブロック図である。
【００４９】
図４において、本体ユニット２には、上記アンテナ１０を介し上記無線タグ回路素子ＴoのＩＣ回路部１５０の情報(無線タグ情報)へアクセスする（読み取り又は書き込みを行う）ための高周波回路２０１と、無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、無線タグ読み取り装置１全体の動作を制御するための制御回路２０２と、を有する。
【００５０】
高周波回路２０１は、アンテナ１０を介し無線タグ回路素子Ｔoに対して信号を送信する送信部２１２と、アンテナ１０により受信された無線タグ回路素子Ｔoからの反射波を入力する受信部２１３と、送受分離器２１４とから構成される。
【００５１】
送信部２１２は、無線タグ回路素子ＴoのＩＣ回路部１５０の無線タグ情報にアクセスする(読み取り／書き込みを行う)ための搬送波を発生させる搬送波発生部として機能する発振回路２１５と、上記制御回路２０２から供給される信号に基づいて上記搬送波発生部により発生させられた搬送波を変調（この例では制御回路２０２からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例では制御回路２０２からの「ＴＸ＿ＰＷＲ」信号によって増幅率を決定される増幅）する可変送信アンプ２１７とを備えている。そして、上記搬送波発生部により発生される搬送波は、好適にはＵＨＦ帯の周波数を用いており、上記送信アンプ２１７の出力は、送受分離器２１４を介し送信アンテナ１０に伝達されて無線タグ回路素子ＴoのＩＣ回路部１５０に供給される。なお、無線タグ情報は上記のように変調した信号に限られず、単なる搬送波のみの場合もある。
【００５２】
受信部２１３は、アンテナ１０で受信された無線タグ回路素子Ｔoからの反射波と上記発生させられた搬送波とを掛け合わせる受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ１０で受信された無線タグ回路素子Ｔoからの反射波と上記発生された後に移相器２２７により位相が９０°遅れた搬送波とを掛け合わせる受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記制御回路２０２に入力されて処理される。
【００５３】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」が制御回路２０２に入力されるようになっている。このようにして、本実施形態の無線タグ読み取り装置１では、Ｉ−Ｑ直交復調によって無線タグ回路素子Ｔoからの反射波の復調が行われる。
【００５４】
制御回路２０２は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。この制御回路２０２は、上述した高周波回路受信部２１３からの受信信号、操作部６の操作信号等を入力した後所定の演算処理を行い、上述した高周波回路送信部２１２への増幅制御信号及び変調制御信号、表示部５への表示制御信号、音声報知手段７への報知信号（音声駆動制御信号）等を出力する。
【００５５】
なお、上記制御回路２０２は、例えば入出力インターフェイス（図示せず）を介し例えば通信回線に接続され、この通信回線に接続された図示しないルートサーバ、他の端末、汎用コンピュータ、及び情報サーバ等との間で情報のやりとりが可能なように構成してもよい。
【００５６】
図５は、上記制御回路２０２が行う無線タグの探索に係わる制御手順を表すフローチャートである。本実施形態の無線タグ読み取り装置１では、アンテナ１０で受信した無線タグ回路素子Ｔoからの応答信号の変化（この例では受信信号強度の変化）に応じて、無線タグＴの存在位置検出を行うものである。
【００５７】
図５において、操作部６において探索開始の旨の適宜の指示入力(例えば適宜のキー操作)があると、このフローが開始される。
【００５８】
まずステップＳ１１０において、操作者が操作部６で入力した検索(探索)対象に係わる情報(この例では、対象物に添付された無線タグのＩＤナンバー)に係わる操作信号を、操作部６から入力する。
【００５９】
その後、ステップＳ１２０において、アンテナ１０より探索対象無線タグＴに対する応答要求指令信号（この例ではScrollＩＤ信号）の送信を開始する（これ以降繰り返し送信を行う）。詳細には、「ＴＸ＿ＡＳＫ」信号を生成して送信乗算回路２１６に出力し、送信乗算回路２１６で対応する上記振幅変調が行われアクセス情報としての「Scroll
ID」信号となる。一方制御回路２０２は「ＴＸ＿ＰＷＲ」信号を生成して可変送信アンプ２１７に出力し、可変送信アンプ２１７でその「ＴＸ＿ＰＷＲ」信号に基づく増幅率で信号増幅が行われ、最終的にアンテナ１０を介し送信され、探索対象である無線タグＴの無線タグ回路素子Ｔoからの返信を促す。
【００６０】
その後、ステップＳ１３０で、上記「Scroll ID」信号に対応して探索対象の無線タグＴの無線タグ回路素子Ｔoから送信された応答信号（＝リプライ信号；物品情報等の無線タグ情報）がアンテナ１０及び高周波回路受信部２１３を介し取り込まれたか（受信されたか）どうかを判定する。
【００６１】
応答信号が受信されなければ判定が満たされず後述のステップＳ１７０へ移る。応答信号が受信されたら判定が満たされてステップＳ１４０に移り、上記受信された応答信号のＲＳＳＩ回路２２６からの受信信号レベル（＝受信信号強度信号「ＲＳＳＩ」）Ｓ1の値がＲＡＭ等の適宜の記憶手段(制御回路２０２外の外部記憶手段でもよいし、また不揮発性のものでもよい)に記憶される。
【００６２】
そしてステップＳ１５０で、音声報知手段７に報知信号としての駆動制御信号を出力し、探索対象の無線タグ回路素子Ｔoの応答信号を受信できたことを表す第１の報知音を出力させる。
【００６３】
その後、ステップＳ１６０に移り、操作者により操作部６のモード切り換え手段６Ａを介しタグ特定モードへのモード切り換え操作がされたかどうかを判定する。
【００６４】
切り換え操作がされていない場合はステップＳ１７０へ移り、操作者により操作部６において終了指示操作がされたかどうかを判定する。終了指示操作がされるまでは判定が満たされず、ステップＳ１３０に戻り、以降、応答信号が受信されかつタグ特定モードへのモード切り換え操作がされない間は、音声報知手段７による上記第１報知音の鳴動を継続しつつかつ最新の受信信号レベルＳ1を上書き更新しつつ、ステップＳ１４０→ステップＳ１５０→ステップＳ１６０→ステップＳ１７０を繰り返す。
【００６５】
このような状態で、操作者により操作部６のモード切り換え手段６Ａを介しタグ特定モードへのモード切り換え操作（例えばボタンを押し続ける）がされた場合は、ステップＳ１６０の判定が満たされ、ステップＳ１８０へ移る。
【００６６】
ステップＳ１８０では、上記受信された応答信号のＲＳＳＩ回路２２６からの受信信号レベルＳ2の値がＲＡＭ等の適宜の記憶手段(制御回路２０２外の外部記憶手段でもよいし、また不揮発性のものでもよい)に記憶される。
【００６７】
その後、ステップＳ１９０で、上記ステップＳ１８０で記憶されたタグ特定モードに切り換えられた後の受信信号レベルＳ2が、直前のステップＳ１４０で記憶されたタグ識別モードの受信信号レベルＳ1を所定の値Ｋ（例えばＫ＝２〜１０程度の適宜の設定値）で除したＳ1／Ｋより小さくなったかどうかを判定する。Ｓ2≧Ｓ1／Ｋである間は判定が満たされず、ステップＳ１６０に戻る。
【００６８】
このようにしてステップＳ１６０→ステップＳ１８０→ステップＳ１９０→ステップＳ１６０→…の手順を繰り返している間に、操作者（又は他の操作者、言い換えれば協力者）によって電波を遮蔽するための遮蔽操作がなされると、Ｓ2＜Ｓ1／Ｋとなるため、ステップＳ１９０の判定が満たされ、ステップＳ２００に移る。ステップＳ２００では、音声報知手段７に駆動制御信号を出力し、返答信号を受信している無線タグ回路素子Ｔoの受信信号強度が大きく低下したことを表す第２の報知音を出力する。なお、この第２の報知音と、第１の報知音とは、操作者が聞いて識別できる何らかの音声上の差異があれば足りる。例えば、それぞれの報知音で断続音の周期を異ならせたり、音の高低や音色を異ならせたり等すればよい。
【００６９】
その後、ステップＳ１６０に戻り、以降、タグ特定モードからタグ識別モードへのさらなるモード切り換え操作がされずかつＳ2＜Ｓ1／Ｋが満たされている間は、音声報知手段７による上記第２報知音の鳴動を継続しつつ、ステップＳ１６０→ステップＳ１８０→ステップＳ１９０→ステップＳ２００を繰り返す。
【００７０】
この状態で、操作者により操作部６のモード切り換え手段６Ａを介しタグ特定モードからタグ識別モードへのさらなるモード切り換え操作（例えば指で押し続けていたボタンを離す）がされた場合は、ステップＳ１６０の判定が満たされなくなり、ステップＳ１７０へ移り、同様の手順を繰り返す。
【００７１】
一方、以上説明した一連の手順において、操作者により操作部６において終了指示操作がされた場合には、ステップＳ１７０の判定が満たされ、ステップＳ２１０へ移る。
【００７２】
ステップＳ２１０では、ステップＳ１２０以降、ここまで継続して出力されてきた応答要求指令信号の送信を停止し、このフローを終了する。
【００７３】
以上において、制御回路２０２が、各請求項記載の、探索対象物に関連づけて取り扱われる無線タグ回路素子のＩＣ回路部の無線タグ情報にアクセスするアクセス情報を生成するアクセス情報生成手段を構成する。また、高周波回路２０１の送信部２１２及びアンテナ１０が、アクセス情報生成手段で生成したアクセス情報を、無線通信により無線タグ回路素子のタグ側アンテナに送信し、ＩＣ回路部の無線タグ情報へのアクセスを行う送信手段を構成し、高周波回路２０１の受信部２１３及びアンテナ１０が、送信手段によるアクセス情報の送信後、この送信されたアクセス情報に応じてＩＣ回路部より送信された返答信号を、タグ側アンテナを介して無線通信により受信する受信手段を構成する。
【００７４】
また、制御回路２０２は、受信手段で受信した返答信号の変化に基づき、探索対象物に係わる無線タグ回路素子であるかどうかの判定を行う判定手段と、その判定結果に基づいて報知信号を出力する報知信号出力手段をも構成する。
【００７５】
以上のように構成した本実施形態の無線タグ読み取り装置１においては、探索対象物を探索する際には、操作者は、まず最初に操作部６のモード切り換え手段６Ａでタグ識別モードにして、探索対象物に係わる無線タグ回路素子Ｔｏの存在位置を概略的に推定する。すなわち、図５を用いて上述したように、操作者が探索対象物に係る無線タグ回路素子ＴoのIDを入力すると、ステップＳ１１０を経てステップＳ１２０で対応する応答要求指令が送信開始され、応答信号が受信されたらステップＳ１４０を経てステップＳ１５０で音声報知手段７から第１報知音が出力される。これにより、操作者は、探索対象物に係る無線タグＴが通信範囲に存在する（言い換えれば比較的近くに存在する）ことを確認することができる。
【００７６】
図６はこのときの状態を表しており、書棚に多数個配置された各ファイルＦにそれぞれ無線タグＴが設けられており、操作者の探索対象物がそれら多数のファイルＦのうちのどのあたりのファイルＦであるかが大まかに判別できた（例えばこの例では上下２段のうち上段の数冊のファイルＦのうちのどれか）状態である。
【００７７】
このように大まかに確認できた後は、操作者は、操作部６のモード切り換え手段６Ａでタグ特定モードにして、探索対象物の可能性のある上段の数冊のファイルの無線タグに対し、手動にて受信信号が変化しうるような所定の操作（この例では受信信号の遮蔽）を順番に行う。
【００７８】
なお図６では図示の煩雑を避けるために便宜的にアンテナユニット３を本体ユニット２に対し回転させていない状態（図１中において実線で示す状態）で示しているが、前述したように適宜操作者の手動操作にて例えば９０°回転させた状態で上記所定の操作を行ってもよい（以下、各図において同様）。
【００７９】
図７（ａ）及び図７（ｂ）は、受信信号の遮蔽操作の例を表しており、無線タグ読み取り装置１とは別体の電磁波シールド部材（又は電磁波吸収部材；例えば短冊状の金属板やシールド材あるいは網目材）Ｍを、当該無線タグＴを隠すようにファイルＦの前にかざし（言い換えれば当該無線タグＴと無線タグ読み取り装置１のアンテナ１０との間に配置させ）、無線タグ回路素子Ｔoからの返答信号の電磁波伝搬を阻害するようにする。
【００８０】
これにより、探索対象のファイルＦに関わる無線タグＴでなかった場合にはそのような所定の操作をしてもその前後で（＝図７（ａ）のように電磁波伝搬を阻害しない場合と図７（ｂ）のように阻害した場合とで）上記受信信号に変化がないのに対し、探索対象のファイルＦに関わる無線タグＴであった場合には上記所定の操作の前後によって受信信号に大きな変化が生じる。この結果、ステップＳ１６０を経てステップＳ１８０で記憶する受信信号レベルＳ2はステップＳ１４０で記憶した受信信号レベルＳ1よりもかなり小さくなるため、ステップＳ１９０の判定が満たされて、ステップＳ２００で音声報知手段７から第２報知音が出力される。これにより、操作者は、探索対象のファイルＦを特定することができる。
【００８１】
以上のようにして、本実施形態の無線タグ読み取り装置１においては、探索対象の可能性のある物（ファイルＦ）を収納箇所から取り出していちいち視認確認しなくても、その前で無線タグＴを隠すような上記所定の操作を行うだけで、操作者が探索対象ファイルＦを容易に見つけ出すことができる。
【００８２】
また、本実施形態では、モード切り換え手段６Ａで一旦タグ特定モードにした後、再びモード切り換え手段６Ａの操作で（例えば指をボタンから離す）、タグ識別モードに復帰することができ（ステップＳ１６０→ステップＳ１７０→ステップＳ１３０）、このとき受信信号レベルＳ1（応答信号の強度）はその最新値が絶えず記憶される（ステップＳ１４０）。したがって、無線タグ読み取り装置１を動かしたとき、上記の例では一旦ボタンから指を離し（タグ識別モードに復帰）、再びボタンを押す（タグ特定モードへ移行）ことで、精度の良いタグ特定を確実に行える効果もある。
【００８３】
なお、本発明は、上記実施形態に限られるものではなく、その趣旨及び技術思想を逸脱しない範囲で種々の変形が可能である。以下、そのような変形例を順を追って説明する。
【００８４】
（１）無線タグ読み取り装置自体に電磁波シールド部材（又は電磁波吸収部材を設けた場合
すなわち、図８に示すように、上記うなうそしにおいていてチが終了した後電磁波シールド部材（又は電磁波吸収部材）Ｍを、無線タグ読み取り装置１に取り付けた場合である。特にこの例では、電磁波シールド部材（又は前記電磁波吸収部材）Ｍは、探索対象に関わる無線タグＴとアンテナ１０との間に位置するように、本体ユニット２の前方側に突出するように配置されている。
【００８５】
本変形例においては、探索対象ファイルＦを探索する際に、上記タグ識別モードにおいて探索対象物の可能性のあるファイルＦ前に本体ユニット２を正対させた状態から本体ユニット２の向きをわずかにずらした状態として通信を行った後、タグ特定モードに移行して本体ユニット２を正対させることでおのずとアンテナ１０と当該ファイルＦの無線タグＴとの間に電磁波シールド部材（又は電磁波吸収部材）Ｍが位置し、無線タグＴに電磁波シールド部材（又は電磁波吸収部材）Ｍがほぼ密着するので返答信号の電磁波伝搬を阻害するようになる。すなわち、上記実施形態のように、無線タグ読み取り装置１とは別に電磁波シールド部材（又は電磁波吸収部材）Ｍを手動操作する煩わしさを解消し、本体ユニット２のわずかな姿勢変化のみによって受信信号の強度変化を実現し、探索対象ファイルＦに関わる無線タグＴを見つけ出すことができる。
【００８６】
なおこの場合、タグ特定モードに移行時、電磁波シールド部材Ｍから電磁波が回り込んで不必要に大きな応答信号が返信されないように、予め無線タグ読み取り装置１からの送信電力を比較的小さく設定しておいてもよい。
【００８７】
（２）無線タグにシールド層を設ける場合
図９（ａ）及び図９（ｂ）は、この変形例による無線タグＴ−１を表す拡大斜視図である。これら図９（ａ）及び図９（ｂ）に示すように、無線タグＴ−１は、上記実施形態と同様の無線タグ（タグ本体）Ｔに、無線タグ回路素子Ｔoのアンテナ１５１を介した通信機能を無効化又は低減可能なタグ機能無効化又は低減手段として、シールド部材（アルミニウムが蒸着された樹脂テープ等）Ｍ′を設けたものである。
【００８８】
このシールド部材Ｍ′はその一端側（この例では上端）がタグ本体Ｔに接続されており、通常は図９（ａ）に示したようにカールした状態となっている。これを指で延ばすと図９（ｂ）に示すように無線タグ回路素子Ｔoの少なくともアンテナ１５１が覆われてシールドされ、応答信号が遮蔽される。指を離せば、図９（ａ）に示すように元通りにカールする。
【００８９】
本変形例においては、探索対象ファイルＦを探索する際に、タグ識別モードにおいて探索対象物の可能性のあるファイルＦの無線タグＴ−１と上記シールド部材Ｍ′をカールさせた状態のまま通信を行った後、タグ特定モードに移行させてその後シールド部材Ｍ′を延ばして無線タグ回路素子Ｔoをシールド部材Ｍ′で覆う。これにより、返答信号の電磁波伝搬が阻害されるようになるので、それ以前と比較して受信信号の強度を大きく変化させる（低減する）ことができる。したがって、上記実施形態と同様にして、探索対象ファイルＦに関わる無線タグＴ−１を容易に見つけ出すことができる等の効果を得る。
【００９０】
なお、上記のようにカールする（めくり上げる）シールド部材Ｍ′でなく、例えばスライドするシールド部材等を用いても良い。
【００９１】
（３）無線タグの向きを変えて偏波面を変化
図１０（ａ）及び図１０（ｂ）は、この変形例による無線タグＴ−２を表す拡大斜視図である。これら図１０（ａ）及び図１０（ｂ）に示すように、無線タグＴ−２は、  無線タグ回路素子Ｔoの設置方向を変化可能に、無線タグ回路素子Ｔoを取り付け対象の対象物に接続する接続部材として、折曲げラベルシート（折曲げラベル紙）Ｒを備えている。特にこの例では、折曲げラベルシートＲは、その一部（この例では上端部分）が貼り付け対象の物品（ファイルＦ）に貼られた状態のまま残りの部分が回動可能で、無線タグ回路素子Ｔoの設置方向を当初（図１０（ａ）に示す状態）の設置面と略直角方向に変化可能となっている（図１０（ｂ）に示す状態）。
【００９２】
本変形例においては、探索対象ファイルＦを探索する際に、タグ識別モードにおいて探索対象物の可能性のあるファイルＦの無線タグＴ−２と上記当初設置状態（図１０（ａ）の例では無線タグ回路素子Ｔoが略鉛直上下方向に向いた状態）のまま通信を行った後、タグ特定モードに移行させてその後折り曲げラベルシートＲの端をつまんで持ち上げて折り曲げ、所定角度範囲（例えば当初位置より６０°以上１２０°以下）だけ無線タグ回路素子Ｔoの向きを変える（図１０（ｂ）の例では無線タグ回路素子Ｔoが略水平方向に向いた状態）。これにより、無線タグ読み取り装置１のアンテナ１０の偏波方向（図中両方向矢印PR参照）と無線タグ回路素子Ｔoの偏波方向（図中両方向矢印PT参照）とが所定の角度をもつようになる。この結果、無線タグ読み取り装置１から送信される搬送波の無線タグ回路素子Ｔoにおける受信量が小さくなる上、無線タグ回路素子Ｔoから返信される返信信号の無線タグ読み取り装置１への伝搬量も小さくなるため、それ以前と比較して受信信号の強度を大きく変化させる（低減する）ことができる。したがって、上記実施形態と同様、探索対象ファイルＦに関わる無線タグＴ−２を容易に見つけ出すことができる等の効果を得る。
【００９３】
特にこの例では、アンテナ１０と無線タグ回路素子Ｔoの偏波方向を互いに略直角とし、このときの受信信号強度を急激に減少させることができるので、確実に探索対象ファイルＦを見つけだすことができる。
【００９４】
（４）無線タグを回転させて偏波面を変化
図１１（ａ）及び図１１（ｂ）は、この変形例による無線タグＴ−３を表す拡大斜視図である。これら図１１（ａ）及び図１１（ｂ）に示すように、無線タグＴ−３は、  無線タグ回路素子Ｔoの設置方向を変化可能に、無線タグ回路素子Ｔoを取り付け対象の対象物に接続する接続部材として、回転ラベルシート（回転ラベル紙）Ｒ′を備えている。特にこの例では、回転ラベルシートＲ′は、その一部（この例では上端部分）が貼り付け対象の物品（ファイルＦ）に対し貼り付け支点ｔを中心に回動可能に貼られており、無線タグ回路素子Ｔoの設置方向を当初（図１１（ａ）に示す状態）の設置面を含む平面内で所定角度範囲（例えば当初位置より６０°以上１２０°以下）だけ変化可能となっている（図１１（ｂ）の例では略９０°）。
【００９５】
本変形例においては、探索対象ファイルＦを探索する際に、タグ識別モードにおいて探索対象物の可能性のあるファイルＦの無線タグＴ−３と上記当初設置状態（図１１（ａ）の例では無線タグ回路素子Ｔoが略鉛直上下方向に向いた状態）のまま通信を行った後、タグ特定モードに移行させてその後回転ラベルシートＲ′の端をつまんで回転させ、無線タグ回路素子Ｔoの向きを変える（図１１（ｂ）の例では無線タグ回路素子Ｔoが略９０°回転した状態）。これにより、無線タグ読み取り装置１のアンテナ１０の偏波方向（図中両方向矢印PR参照）と無線タグ回路素子Ｔoの偏波方向（図中両方向矢印PT参照）とが所定の角度をもつようになる。この結果、無線タグ読み取り装置１から送信される搬送波の無線タグ回路素子Ｔoにおける受信量が小さくなる上、無線タグ回路素子Ｔoから返信される返信信号の無線タグ読み取り装置１への伝搬量も小さくなるため、それ以前と比較して受信信号の強度を大きく変化させる（低減する）ことができる。したがって、上記実施形態と同様、探索対象ファイルＦに関わる無線タグＴ−３を容易に見つけ出すことができる等の効果を得る。
【００９６】
特にこの例では、当初アンテナ１０と無線タグ回路素子Ｔoの偏波方向を互いに略平行とし（図１１（ａ））偏波面を一致させて受信感度が最大となるような角度にしておく一方で、回動後はアンテナ１０と無線タグ回路素子Ｔoの偏波方向を互いに略直角とし、このときの受信信号強度を急激に減少させることができる（偏波面が直交状態に近くなるため受信信号強度を２分の１以下にすることができる）。これにより、確実に探索対象ファイルＦを見つけだすことができる。
【００９７】
（５）タグ機能無効化・低下機構を設ける場合
図１２は、この変形例による無線タグＴ−４を表す上面図であり、図１３は無線タグＴ−４に備えられた無線タグ回路素子Ｔo′の機能的構成の一例を表すブロック図（上記図３に相当する図）である。これら図１２（ａ）及び図１２（ｂ）、図１３に示すように、無線タグＴ−３は、無線タグ回路素子Ｔoのアンテナ１５１を介した通信機能を、無効化又は低減可能なタグ機能無効化又は低減手段として、メンブレンスイッチ機構ＭＳが設けられている。
【００９８】
メンブレンスイッチ機構ＭＳは、ＩＣ回路部１５０の制御部１５７から配線１５８ａ，１５８ｂを介し引き出された短絡用の制御電極１５９ａ，１５９ｂと、これら制御電極１５９ａ，１５９ｂに当接可能な短絡電極１６０Ａを備え指で操作可能なスイッチ操作部１６０とを有している。スイッチ操作部１６０を指で押すと、短絡電極１６０Ａが制御電極１５９ａ，１５９ｂに当接しこれらを短絡することで、制御部１５７が、無線タグ回路素子Ｔoのアンテナ１５１を介した通信機能を停止させ応答信号の送信を停止するようになっている。
【００９９】
本変形例においては、探索対象ファイルＦを探索する際に、タグ識別モードにおいて探索対象物の可能性のあるファイルＦの無線タグＴ−４と通常の状態（スイッチ操作部１６０を押していない状態）のまま通信を行った後、タグ特定モードに移行させてその後スイッチ操作部１６０を押し、無線タグ回路素子Ｔo′の通信機能を停止させる。これにより、返答信号が無線タグ読み取り装置１で阻害され、それ以前と比較して受信信号の強度を大きく変化させる（低減する）ことができる。したがって、上記実施形態と同様、探索対象ファイルＦに関わる無線タグＴ−４を容易に見つけ出すことができる等の効果を得る。
【０１００】
（６）その他
(a)第１及び第２モードの報知方法
以上においては、第１モードでの報知音と第２モードでの報知音を異ならせたが、これに限られず、他の手法で両者の報知方法を異ならせるようにしてもよい。例えば第１モードでは光や表示等による報知（表示部５における何らかの表示、又は別途設けたランプ、ＬＥＤ等）とし、第２モードでは所定の報知音（あるいはそれプラス上記光等の報知）としてもよい。この場合も同様の効果を得る。
【０１０１】
(b)アレイアンテナによる指向性制御を行う場合
以上においては、無線タグ読み取り装置１に１つのアンテナ１０のみを設けたが、これに限られず、複数のアンテナ素子を備えたアレイアンテナを用い、制御回路２０２に対応する指向性制御部（フェイズドアレイ制御部、アダプティブアレイ制御部等）を設けて指向性制御を行うようにしてもよい。
【０１０２】
例えば上記フェイズドアレイ制御部を設ける場合は、複数のアンテナ素子による指向性を一つの方向のみ強くなるように保持しその方向を順次変化させつつ通信対象（無線タグＴ）へ送信するよう制御を行う。すなわち、良く知られているように、アンテナ間隔と各アンテナ素子に供給される送信信号の位相差から指向性の方向が決定される。従って、各アンテナ素子に供給する送信信号の位相を所望の指向性方向に応じて制御する。上記アダプティブアレイ制御部を設ける場合は、詳細な説明を省略するが、上記複数のアンテナ素子からの受信信号に基づき、公知の手法により、各アンテナ素子による指向性を、通信対象（無線タグＴ）からの受信感度が最適となるように制御する。
【０１０３】
これらの場合も、例えば上記タグ識別モードにおいて上記指向性制御を行うことで、上記大まかなタグ位置の推定を比較的迅速にかつより精度よく行うことができるという効果を得る。
【０１０４】
(c)モードを設けない場合
以上においては、まず最初にタグ識別モードで探索対象ファイルＦが通信範囲に存在することを確認した後、タグ特定モードに切り換えて探索対象ファイルＦ個別に見つけ出すようにしたが、これに限られない。すなわち、上記２つのモードを特に設けず（言い換えればタグ識別モードを省略し）、最初からタグ特定モード相当の探索を行い、無線タグＴの前で所定の操作を行って探索対象物を見つけ出すようにしてもよい。この場合も、信号強度が大きく変化したことを判断して、報知するようにすれば探索対象の可能性のある物を収納箇所から取り出していちいち視認確認しなくても、容易に見つけ出すことができるという本発明本来の効果を得ることができる。
【０１０５】
(d)無線タグＴの関連づけ態様
また、以上においては、無線タグＴは対象物（ファイルＦ）に直接添付されていたが、これに限られず、その対象物物品（書類等も含む）の梱包される箱に添付、あるいは同梱等されていてもよい。要するに、関連づけて取り扱われるようにされていれば足りる。また以上は探索対象物がファイルの場合を例にとって説明したが、これに限られず、各種書類、図書、その他物品・品物等でもよいし、それ以外の各種の物にも、一見しただけではその内容がわからないものであれば、上記同様に本発明を適用できることは言うまでもない。
【図面の簡単な説明】
【０１０６】
【図１】本発明の一実施形態の無線タグ読み取り装置の全体概略構造を表す上面図、及び図１（ａ）中Ｉ方向からみた矢視図である。
【図２】図１に示したアンテナユニットの構造を表す上面図、及び図２（ａ）中II方向からみた矢視図である。
【図３】図１に示した無線タグ読み取り装置の検索対象である物品に添付された無線タグに備えられた無線タグ回路素子の機能的構成の一例を表すブロック図である。
【図４】図１に示した本体ユニット及びアンテナユニットの制御系の構成を表す機能ブロック図である。
【図５】図４に示した制御回路が行う無線タグの探索に係わる制御手順を表すフローチャートである。
【図６】図１に示した無線タグ読み取り装置を把持して操作者が探索を行っている様子を表す図である。
【図７】受信信号の遮蔽操作の例を表す説明図である。
【図８】電磁波シールド部材（又は電磁波吸収部材）を無線タグ読み取り装置に取り付けた変形例を表す図である。
【図９】無線タグにシールド層を設ける変形例を表す説明図である。
【図１０】無線タグの向きを変えて偏波面を変化させる変形例による説明図である。
【図１１】無線タグを回転させて偏波面を変化させる変形例による説明図である。
【図１２】タグ機能無効化・低下機構を設ける変形例による無線タグを表す上面図である。
【図１３】図１２に示した無線タグに備えられた無線タグ回路素子の機能的構成の一例を表すブロック図である。
【符号の説明】
【０１０７】
１          無線タグ読み取り装置
６          操作部
６Ａ        モード切り換え手段（切り換え手段）
７          音声報知手段
１０        アンテナ（送信手段、受信手段；受信用アンテナ手段）
１５０      ＩＣ回路部
１５１      アンテナ（タグ側アンテナ）
２０１      高周波回路
２０２      制御回路（アクセス情報生成手段、報知信号出力手段）
２１２      送信部（送信手段）
２１３      受信部（受信手段）
２２６      ＲＳＳＩ回路（強度検出手段）
Ｍ，Ｍ′    電磁波シールド・吸収部材
ＭＳ        メンブレンスイッチ機構（タグ機能無効化・低減手段）
Ｒ          折り曲げラベルシート（接続部材）
Ｒ′        回転ラベルシート（接続部材）
Ｔo         無線タグ回路素子
Ｔo′       無線タグ回路素子
Ｔ          無線タグ
Ｔ−１      無線タグ
Ｔ−２      無線タグ
Ｔ−３      無線タグ
Ｔ−４      無線タグ
【図１】
2006127250.tif 000003
【図２】
2006127250.tif 000004
【図３】
2006127250.tif 000005
【図４】
2006127250.tif 000006
【図５】
2006127250.tif 000007
【図６】
2006127250.tif 000008
【図７】
2006127250.tif 000009
【図８】
2006127250.tif 000010
【図９】
2006127250.tif 000011
【図１０】
2006127250.tif 000012
【図１１】
2006127250.tif 000013
【図１２】
2006127250.tif 000014
【図１３】
2006127250.tif 000015